(57)【要約】【課題】ランプの交換回数を減らすことができるとともに、明るさの変動を抑制することができる照明装置、ランプユニット及びプロジェクターを提供すること。【解決手段】ランプをそれぞれ含む複数のランプユニット１００−１、１００−２と、各ランプの駆動電圧を検出する電圧検出部と、ランプ９０−１、９０−２の中から少なくとも１つを選択する制御部２００とを有する照明装置１において、各ランプユニット１００−１、１００−２は、前回点灯時に電圧検出部で検出されたランプの駆動電圧を記憶する記憶部９２−１、９２−２を含み、制御部２００は、各記憶部９２−１、９２−２に記憶されたランプの駆動電圧に基づいて、点灯するランプを選択する。制御部２００は、記憶部９２−１、９２−２に記憶されたランプの駆動電圧がより小さいランプを優先して選択してもよい。【選択図】図１
2010212116.tif 000002
【特許請求の範囲】
【請求項１】
ランプをそれぞれ含む複数のランプユニットと、各前記ランプの駆動電圧を検出する電圧検出部と、前記ランプの中から少なくとも１つを選択する制御部とを有する照明装置において、
各前記ランプユニットは、前回点灯時に前記電圧検出部で検出された前記ランプの駆動電圧を記憶する記憶部を含み、
前記制御部は、各前記記憶部に記憶された前記ランプの駆動電圧に基づいて、点灯する前記ランプを選択することを特徴とする照明装置。
【請求項２】
請求項１に記載の照明装置において、
前記制御部は、前記記憶部に記憶された前記ランプの駆動電圧がより小さい前記ランプを優先して選択することを特徴とする照明装置。
【請求項３】
請求項１及び２のいずれかに記載の照明装置において、
前記制御部は、前記ランプの点灯中における所定期間ごとに前記記憶部に記憶された前記ランプの駆動電圧を更新することを特徴とする照明装置。
【請求項４】
請求項１乃至３のいずれかに記載の照明装置において、
前記制御部は、消灯直前期の前記ランプの駆動電圧で前記記憶部に記憶された前記ランプの駆動電圧を更新することを特徴とする照明装置。
【請求項５】
請求項１乃至４のいずれかに記載の照明装置において、
前記ランプユニットは、前記照明装置から着脱自在に構成されていることを特徴とする照明装置。
【請求項６】
請求項１乃至５のいずれかに記載のランプユニット。
【請求項７】
請求項１乃至５のいずれかに記載の照明装置を含むことを特徴とするプロジェクター。
【発明の詳細な説明】
【技術分野】
【０００１】
本発明は、照明装置、ランプユニット及びプロジェクターに関する。
【背景技術】
【０００２】
複数の光源（ランプ）を有し、これらを選択的に点灯することができる投射型表示装置（プロジェクター）が知られている。
【先行技術文献】
【特許文献】
【０００３】
【特許文献１】特開平８−３６１８０号公報
【発明の概要】
【発明が解決しようとする課題】
【０００４】
ランプにはそれぞれ寿命があるため、ランプを用いた装置を使い続けるためには、ランプを交換する必要がある。ランプの交換回数を減らすためには、残り寿命の長いランプを優先的に点灯することが望ましい。また、ランプを選択的に点灯する度に、前回点灯時と明るさが大きく異なることは好ましくない。
【０００５】
しかし、ランプ自体の個体差や、それぞれのランプの使用状況の違いにより、ランプの寿命はそれぞれ異なる。したがって、積算された点灯時間の短いものであっても、残り寿命が長いとは限らない。
【０００６】
同様に、ランプ自体の個体差や、それぞれのランプの使用状況の違いにより、ランプの明るさもそれぞれ異なる。したがって、積算された点灯時間の短いものほど明るいとは限らない。
【０００７】
本発明は、以上のような問題点に鑑みてなされたものであり、ランプの交換回数を減らすことができるとともに、明るさの変動を抑制することができる照明装置、ランプユニット及びプロジェクターを提供することを目的とする。
【課題を解決するための手段】
【０００８】
本発明に係る照明装置は、ランプをそれぞれ含む複数のランプユニットと、各前記ランプの駆動電圧を検出する電圧検出部と、前記ランプの中から少なくとも１つを選択する制御部とを有する照明装置において、各前記ランプユニットは、前回点灯時に前記電圧検出部で検出された前記ランプの駆動電圧を記憶する記憶部を含み、前記制御部は、各前記記憶部に記憶された前記ランプの駆動電圧に基づいて、点灯する前記ランプを選択することを特徴とする。
【０００９】
本発明によれば、ランプの駆動電圧に応じて点灯するランプを選択することができる。これにより、残り寿命の長いランプを優先的に点灯することが可能になるため、ランプの交換回数を減らすことができる照明装置を実現できる。また、前回点灯時と明るさの近いランプを選択することになるので、使用するランプの違いによる明るさの変動を抑制することができる。
【００１０】
この照明装置は、前記制御部は、前記記憶部に記憶された前記ランプの駆動電圧がより小さい前記ランプを優先して選択してもよい。
【００１１】
この照明装置は、前記制御部は、前記ランプの点灯中における所定期間ごとに前記記憶部に記憶された前記ランプの駆動電圧を更新してもよい。
【００１２】
この照明装置は、前記制御部は、消灯直前期の前記ランプの駆動電圧で前記記憶部に記憶された前記ランプの駆動電圧を更新してもよい。
【００１３】
この照明装置は、前記ランプユニットは、前記照明装置から着脱自在に構成されていてもよい。
【００１４】
本発明に係るランプユニットは、これらのいずれかに記載のランプユニットである。
【００１５】
本発明に係るプロジェクターは、これらのいずれかの照明装置を含むことを特徴とする。
【図面の簡単な説明】
【００１６】
【図１】本実施形態に係る照明装置の回路ブロック図。
【図２】ランプユニットの構成の一例を示す分解斜視図。
【図３】点灯駆動装置の構成の一例を示す回路図。
【図４】本実施形態における点灯操作からランプ点灯開始までのフローチャート。
【図５】本実施形態における消灯操作からランプの消灯までのフローチャート。
【図６】本実施の形態に係るプロジェクターの構成の一例を示す図。
【発明を実施するための形態】
【００１７】
以下、本発明の好適な実施形態について図面を用いて詳細に説明する。なお、以下に説明する実施形態は、特許請求の範囲に記載された本発明の内容を不当に限定するものではない。また以下で説明される構成の全てが本発明の必須構成要件であるとは限らない。
【００１８】
１．照明装置
図１は、本実施形態に係る照明装置の回路ブロック図である。
【００１９】
本実施の形態に係る照明装置１は、複数のランプユニットを含む。それぞれのランプユニットは、ランプと記憶部とを含んで構成されている。
【００２０】
本実施形態においては、照明装置１は、ランプ９０−１と記憶部９２−１とを含むランプユニット１００−１と、ランプ９０−２と記憶部９２−２とを含むランプユニット１００−１との２つのランプユニットを含んでいる。ランプ９０−１及び９０−２は、例えば高圧水銀ランプやメタルハライドランプ等の放電灯を用いてもよい。
【００２１】
なお、本実施形態の説明においては、照明装置１が２つのランプユニットを含む場合について説明するが、照明装置１は、ランプユニットを３つ以上含んでいてもよい。また、ランプユニット１００−１及び１００−２は、照明装置１から着脱自在に構成されていてもよい。
【００２２】
図２は、ランプユニット１００−１の構成の一例を示す分解斜視図である。図２においては、ランプユニット１００−１から射出される光束の射出方向を＋Ｚ方向とする。なお、ランプユニット１００−２の構成も同様である。
【００２３】
図２に示すランプユニット１００−１は、ランプ９０−１、記憶部９２−１、楕円リフレクター１０２、ランプハウジング１０６を含んで構成されている。
【００２４】
楕円リフレクター１０２は、ランプ９０−１の基端側の一方の封止部が挿通される筒状の首状部１１８と、この首状部１１８から拡がる楕円曲面状の反射部１２０を備えている。楕円リフレクター１０２は、例えば、透光性を有するガラスで一体形成して製造してもよい。また、楕円リフレクター１２０の反射部１２０は、可視光を反射して赤外線及び紫外線を透過するコールドミラーとなる反射面を有していてもよい。反射面は、例えば、楕円曲面状のガラス面に金属薄膜を蒸着形成して製造してもよい。
【００２５】
ランプハウジング１０６には、開口１１６が形成され、開口１１６には平行化凹レンズ１０４が設けられている。ランプ９０−１から放射された光束は、直接又は反射部１２０の反射面で反射して平面化凹レンズ１０４から射出される。
【００２６】
楕円リフレクター１２０とランプハウジング１０６とは、弾性部材１１４を挟んで当接し、一組の軸１０８を軸挿通孔１１０及び１１２に挿通することにより、楕円リフレクター１２０とランプハウジング１０６とが接続されている。
【００２７】
記憶部９２−１は、ランプハウジング１０６の一部に設けられており、不図示の配線を介して後述する制御部２００から読み書き可能に構成されている。記憶部９２−１と制御部２００とは、例えばＵＡＲＴ（Universal Asynchronous Receiver Transmitter）によるシリアル通信により通信してもよい。記憶部９２−１は、ランプ９０−１の前回点灯時（ランプが安定に点灯している安定駆動時）に後述する電圧検出部６１で検出されたランプ９０−１の駆動電圧Ｖｌａ１を駆動電圧情報として記憶する。記憶部９２−１には、駆動電圧情報の初期値として、照明装置１の検査工程において検出されたランプ９０−１の駆動電圧Ｖｌａ１を記憶しておいてもよい。
【００２８】
記憶部９２−１は、不揮発性メモリーで構成されてもよい。不揮発性メモリーで構成することにより、記憶部９２−１に電源が供給されなくなっても、駆動電圧情報を保持することができる。
【００２９】
本実施の形態に係る照明装置１は、ランプ９０−１及び９０−２にそれぞれ対応した点灯駆動装置１０−１及び１０−２を含んでもよい。点灯駆動装置１０−１は、ランプ９０−１を駆動するための駆動電流を生成し、ランプ９０−１に供給することによりランプ９０−１を点灯駆動する。点灯駆動装置１０−２は、ランプ９０−２を駆動するための駆動電流を生成し、ランプ９０−２に供給することによりランプ９０−２を点灯駆動する。
【００３０】
また、点灯駆動装置１０−１及び１０−２は、後述する制御部２００と通信し、それぞれランプ９０−１及び９０−２に対する点灯命令や消灯命令を受け付ける。点灯駆動装置１０−１及び１０−２は、点灯命令に基づいてそれぞれランプ９０−１及び９０−２を点灯（点灯駆動を開始）し、消灯命令に基づいてそれぞれランプ９０−１及び９０−２を消灯（点灯駆動を終了）する。
【００３１】
点灯駆動装置１０−１及び１０−２と制御部２００とは、例えばＵＡＲＴ（Universal Asynchronous Receiver Transmitter）によるシリアル通信により通信してもよい。
【００３２】
図３は、点灯駆動装置１０−１の構成の一例を示す回路図である。なお、点灯駆動装置１０−２の構成も同様である。
【００３３】
点灯駆動装置１０−１は、電力制御回路２０を含む。電力制御回路２０は、ランプ９０−１に供給する駆動電力を生成する。本実施形態においては、電力制御回路２０は、直流電源８０を入力とし、当該入力電圧を降圧して直流電流Ｉｄを出力するダウンチョッパー回路で構成されている。
【００３４】
電力制御回路２０は、スイッチ素子２１、ダイオード２２、コイル２３及びコンデンサー２４を含んで構成することができる。スイッチ素子２１は、例えばトランジスターで構成することができる。本実施形態においては、スイッチ素子２１の一端は直流電源８０の正電圧側に接続され、他端はダイオード２２のカソード端子及びコイル２３の一端に接続されている。また、コイル２３の他端にはコンデンサー２４の一端が接続され、コンデンサー２４の他端はダイオード２２のアノード端子及び直流電源８０の負電圧側に接続されている。スイッチ素子２１の制御端子には点灯駆動制御部４０から電流制御信号が入力されてスイッチ素子２１のＯＮ／ＯＦＦが制御される。電流制御信号には、例えばＰＷＭ（Pulse Width Modulation）制御信号が用いられてもよい。
【００３５】
ここで、スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００３６】
点灯駆動装置１０−１は、交流変換回路３０を含む。交流変換回路３０は、電力制御回路２０から出力される直流電流Ｉｄを入力し、所与のタイミングで極性反転することにより、任意のデューティー比や周波数をもつ放電灯駆動用の駆動電流Ｉを生成出力する。本実施形態においては、交流変換回路３０はインバーターブリッジ回路（フルブリッジ回路）で構成されている。
【００３７】
交流変換回路３０は、例えば、トランジスターなどの第１乃至第４のスイッチ素子３１乃至３４を含んで構成され、直列接続された第１及び第２のスイッチ素子３１及び３２と、直列接続された第３及び第４のスイッチ素子３３及び３４を、互いに並列接続して構成される。第１乃至第４のスイッチ素子３１乃至３４の制御端子には、それぞれ点灯駆動制御部４０から交流変換制御信号が入力され、第１乃至第４のスイッチ素子３１乃至３４のＯＮ／ＯＦＦが制御される。
【００３８】
交流変換回路３０は、第１及び第４のスイッチ素子３１及び３４と、第２及び第３のスイッチ素子３２及び３３を交互にＯＮ／ＯＦＦを繰り返すことにより、電力制御回路２０から出力される直流電流Ｉｄの極性を交互に反転し、第１及び第２のスイッチ素子３１及び３２の共通接続点及び第３及び第４のスイッチ素子３３及び３４の共通接続点から、制御された周波数をもった駆動電流Ｉを生成出力する。
【００３９】
すなわち、第１及び第４のスイッチ素子３１及び３４がＯＮの時には第２及び第３のスイッチ素子３２及び３３をＯＦＦにし、第１及び第４のスイッチ素子３１及び３４がＯＦＦの時には第２及び第３のスイッチ素子３２及び３３をＯＮにするように制御する。したがって、第１及び第４のスイッチ素子３１及び３４がＯＮの時には、コンデンサー２４の一端から第１のスイッチ素子３１、ランプ９０−１、第４のスイッチ素子３４の順に流れる駆動電流Ｉが発生する。また、第２及び第３のスイッチ素子３２及び３３をＯＮの時には、コンデンサー２４の一端から第３のスイッチ素子３３、ランプ９０−１、第２のスイッチ素子３２の順に流れる駆動電流Ｉが発生する。
【００４０】
点灯駆動装置１０−１は、点灯駆動制御部４０を含む。点灯駆動制御部４０は、電力制御回路２０及び交流変換回路３０を制御することにより、駆動電流Ｉの電流値、デューティー比、周波数等を制御する。点灯駆動制御部４０は、交流変換回路３０に対して駆動電流Ｉの極性反転タイミングによりデューティー比、周波数等を制御する交流変換制御を行う。また、点灯駆動制御部４０は、電力制御回路２０に対して、出力される直流電流Ｉｄの電流値を制御する電流制御を行う。
【００４１】
また、点灯駆動制御部４０は、通信信号Ｓをやり取りすることにより制御部２００と通信を行う。通信信号Ｓには、ランプ９０−１に対する点灯命令や消灯命令、後述する電圧検出部６５で検出されたランプ９０−１の駆動電圧Ｖｌａ１に対応する駆動電圧情報が含まれてもよい。
【００４２】
点灯駆動制御部４０の構成は、特に限定されるものではないが、本実施形態においては、点灯駆動制御部４０は、システムコントローラー４１、電力制御回路コントローラー４２及び交流変換回路コントローラー４３含んで構成されている。なお、点灯駆動制御部４０は、その一部又は全てを半導体集積回路で構成してもよい。
【００４３】
システムコントローラー４１は、電力制御回路コントローラー４２及び交流変換回路コントローラー４３を制御することにより、電力制御回路２０及び交流変換回路３０を制御する。システムコントローラー４１は、後述する点灯駆動装置１０−１内部に設けた動作検出部６０により検出した駆動電圧Ｖｌａ及び駆動電流Ｉに基づき、電力制御回路コントローラー４２及び交流変換回路コントローラー４３を制御してもよい。
【００４４】
本実施形態においては、システムコントローラー４１は内蔵記憶部４４を含んで構成されている。なお、記憶部４４は、システムコントローラー４１とは独立に設けてもよい。
【００４５】
システムコントローラー４１は、内蔵記憶部４４に格納された情報に基づき、電力制御回路２０及び交流変換回路３０を制御してもよい。内蔵記憶部４４には、例えば駆動電流Ｉが同一極性で継続する保持時間、駆動電流Ｉの電流値、デューティー比、周波数、波形等の駆動パラメーターに関する情報が格納されていてもよい。
【００４６】
電力制御回路コントローラー４２は、システムコントローラー４１からの制御信号に基づき、電力制御回路２０へ電流制御信号を出力することにより、電力制御回路２０を制御する。
【００４７】
交流変換回路コントローラー４３は、システムコントローラー４１からの制御信号に基づき、交流変換回路３０へ交流変換制御信号を出力することにより、交流変換回路３０を制御する。
【００４８】
なお、点灯駆動制御部４０は、専用回路により実現して上述した各種制御を行うようにすることもできるが、例えばＣＰＵ（Central Processing Unit）が内蔵記憶部４４等に記憶された制御プログラムを実行することによりコンピューターとして機能し、これらの各種制御を行うようにすることもできる。
【００４９】
点灯駆動装置１０−１は、動作検出部６０を含む。動作検出部６０は、ランプ９０−１の駆動電圧Ｖｌａを検出し、駆動電圧情報を出力する電圧検出部６５や、駆動電流Ｉを検出し、駆動電流情報を出力する電流検出部を含んでいる。本実施形態においては、動作検出部６０は、第１乃至第３の抵抗６１乃至６３を含んで構成されている。
【００５０】
本実施形態において、電圧検出部６５は、ランプ９０−１と並列に、互いに直列接続された第１及び第２の抵抗６１及び６２で分圧した電圧により駆動電圧Ｖｌａを検出する。また、本実施形態において、電流検出部は、ランプ９０−１に直列に接続された第３の抵抗６３に発生する電圧により駆動電流Ｉを検出する。
【００５１】
点灯駆動装置１０−１は、イグナイター回路７０を含んでもよい。イグナイター回路７０は、ランプ９０−１の点灯開始時にのみ動作し、ランプ９０−１の点灯開始時にランプ９０−１の電極間を絶縁破壊して放電路を形成するために必要な高電圧（通常制御動作時よりも高い電圧）をランプ９０−１の電極間に供給する。本実施形態においては、イグナイター回路７０は、ランプ９０−１と並列に接続されている。
【００５２】
本実施形態に係る照明装置１は、複数のランプ（本実施形態ではランプ９０−１及び９０−２）の中から少なくとも１つを選択し、選択したランプに対応する点灯駆動装置にランプの点灯を指示する制御部２００を含む。制御部２００は、ランプ９０−１を選択した場合には点灯駆動装置１０−１に点灯命令を出力することによりランプ９０−１の点灯を指示し、ランプ９０−２を選択した場合には点灯駆動装置１０−２に点灯命令を出力することによりランプ９０−２の点灯を指示する。
【００５３】
また、制御部２００は、ユーザーの操作に基づいて点灯操作や消灯操作等の操作情報を受け付けてもよい。
【００５４】
制御部２００は、専用回路により実現して上述した制御や後述する各種制御を行うようにすることもできるが、例えばＣＰＵ（Central Processing Unit）が図示しない記憶装置等に記憶された制御プログラムを実行することによりコンピューターとして機能し、これらの処理の各種制御を行うようにすることもできる。
【００５５】
制御部２００は、点灯駆動装置１０−１から受け取ったランプ９０−１の駆動電圧Ｖｌａ１を駆動電圧情報として記憶部９２−１に書き込んだり更新したりする。また、制御部２００は、点灯駆動装置１０−２から受け取ったランプ９０−２の駆動電圧Ｖｌａ２を駆動電圧情報として記憶部９２−２に書き込んだり更新したりする。また、制御部２００は、記憶部９２−１及び９２−２に記憶された駆動電圧情報を読み出すことができる。
【００５６】
制御部２００は、それぞれのランプの駆動電圧に対応する駆動電圧情報に基づいて、点灯するランプを選択する。例えば、制御部２００は、駆動電圧がより小さいランプを優先して選択してもよい。
【００５７】
ランプの駆動電圧はランプの電極の劣化状態との相関が高く、例えば放電灯においては、ランプの電極が劣化するにしたがってランプの駆動電圧は上昇する傾向にある。したがって、ランプの駆動電圧がより小さいランプを優先して選択することにより、残り寿命の長いランプを優先して選択することができる。
【００５８】
また、同一電力でランプを駆動した場合には、ランプの駆動電圧が大きくなるほどランプの駆動電流が小さくなるため、ランプの明るさも小さくなる。しかし、ランプの駆動電圧は、ランプの個体差があるため、時間とともに単調上昇するとは限らない。
【００５９】
ランプの駆動電圧がより小さいランプを優先して選択することにより、結果的に、前回点灯時に使用したランプの駆動電圧と近い駆動電圧となるランプを選択することになる。したがって、選択するランプが代わっても明るさの変化が小さい照明装置を実現することができる。
【００６０】
また、記憶部９２−１及び９２−２はそれぞれランプユニット１００−１及び１００−２に設けられている。したがって、特にランプユニット１００−１及び１００−２を照明装置１から着脱自在に構成した場合には、ユーザーがランプユニット１００−１又は１００−２を交換した場合においても、正しい駆動電圧情報に基づいて点灯するランプを選択することができる。
【００６１】
図４は、本実施形態における点灯操作からランプ点灯開始までのフローチャートである。
【００６２】
まず、制御部２００は、ユーザーからの点灯操作を受け付ける（ステップＳ１００）。次に、制御部２００は、記憶部９２−１及び９２−２から、駆動電圧情報を読み出す（ステップＳ１０２）。
【００６３】
次に、制御部２００は、ステップＳ１０２で読み出した駆動電圧情報に対応する駆動電圧Ｖｌａ１と駆動電圧Ｖｌａ２の大小を判定する（ステップＳ１０４）。ステップＳ１０４で駆動電圧Ｖｌａ１が駆動電圧Ｖｌａ２未満であるものと判定した場合には、点灯駆動装置１０−１に点灯命令を送信する（ステップＳ１０８）。点灯命令を受信した点灯駆動装置１０−１は、ランプ９０−１を点灯開始する（ステップＳ１１０）。
【００６４】
ステップＳ１０４で、駆動電圧Ｖｌａ１が駆動電圧Ｖｌａ２以上であるものと判定した場合には、点灯駆動装置１０−２に点灯命令を送信する（ステップＳ１１２）。点灯命令を受信した点灯駆動装置１０−２は、ランプ９０−２を点灯開始する（ステップＳ１１４）。
【００６５】
図５は、本実施形態における消灯操作からランプの消灯までのフローチャートである。
【００６６】
まず、制御部２００は、ユーザーからの消灯操作を受け付ける（ステップＳ２００）。次に、制御部２００は、点灯しているランプに対応する点灯駆動装置から、駆動電圧情報を読み出す（ステップＳ２０２）。例えば、ランプ９０−１が点灯している場合には、点灯駆動装置１０−１から駆動電圧情報を読み出す。
【００６７】
次に、制御部２００は、ステップＳ２０２で読み出した駆動電圧情報を記憶部に書き込む（ステップＳ２０４）。
【００６８】
例えば、ランプ９０−１が選択されて点灯している場合には、制御部２００は、消灯直前期のランプ９０−１の駆動電圧Ｖｌａ１に対応する駆動電圧情報で、記憶部９２−１に記憶された駆動電圧情報を更新してもよい。
【００６９】
同様に、ランプ９０−２が選択されて点灯している場合には、制御部２００は、消灯直前期のランプ９０−２の駆動電圧Ｖｌａ２に対応する駆動電圧情報で、記憶部９２−２に記憶された駆動電圧情報を更新してもよい。
【００７０】
ランプの消灯直前期における駆動電圧情報を記憶部９２−１及び９２−２に記憶させることにより、次回点灯時に、より適切なランプ選択が可能になる。
【００７１】
次に、制御部２００は、点灯しているランプに対応する点灯駆動装置に消灯命令を送信する（ステップＳ２０６）。例えば、ランプ９０−１が点灯している場合には、点灯駆動装置１０−１に消灯命令を送信する。なお、ステップＳ２０６は、ステップＳ２００とステップＳ２０２との間で行ってもよい。
【００７２】
次に、消灯命令を受信した点灯駆動装置は、ランプを消灯する（ステップＳ２０８）。
【００７３】
上述の例では、消灯操作を受け付けた後に駆動電圧情報を記憶部に書き込む例について説明したが、ランプの点灯中における所定期間ごとに記憶部に記憶された駆動電圧情報を更新することも可能である。
【００７４】
例えば、ランプ９０−１が選択されて点灯している場合には、制御部２００は、ランプ９０−１の点灯中における所定期間ごとに記憶部９２−１に記憶されたランプ９０−１の駆動電圧Ｖｌａ１に対応する駆動電圧情報を更新してもよい。
【００７５】
同様に、ランプ９０−２が選択されて点灯している場合には、制御部２００は、ランプ９０−２の点灯中における所定期間ごとに記憶部９２−２に記憶されたランプ９０−２の駆動電圧Ｖｌａ２に対応する駆動電圧情報を更新してもよい。
【００７６】
所定期間ごとに駆動電圧情報を更新することにより、消灯直前期のランプの駆動電圧に対応する駆動電圧情報が書き込めなかった場合にも、比較的新しい駆動電圧情報を確保しておくことができる。
【００７７】
２．プロジェクター
図６は、本実施の形態に係るプロジェクターの構成の一例を示す図である。プロジェクター５００は、上述の実施形態に係る照明装置１を含んだプロジェクターの例である。なお、図１に示す照明装置１と同一の構成には同一の符号を付し、詳細な説明を省略する。
【００７８】
プロジェクター５００は、画像信号変換部５１０、直流電源装置５２０、点灯駆動装置１０−１及び１０−２、ランプユニット１００−１及び１００−２、制御部２００、ミラー群５５０、液晶パネル５６０Ｒ、５６０Ｇ、５６０Ｂ、画像処理装置５７０を含む。ランプユニット１００−１は、ランプ９０−１と記憶部９２−１とを含んで構成されている。また、ランプユニット１００−２は、ランプ９０−２と記憶部９２−２とを含んで構成されている。本実施の形態においては、ランプ９０−１及び９０−２には放電灯を用いている。
【００７９】
画像信号変換部５１０は、外部から入力された画像信号５０２（輝度−色差信号やアナログＲＧＢ信号など）を所定のワード長のデジタルＲＧＢ信号に変換して画像信号５１２Ｒ、５１２Ｇ、５１２Ｂを生成し、画像処理装置５７０に供給する。
【００８０】
画像処理装置５７０は、３つの画像信号５１２Ｒ、５１２Ｇ、５１２Ｂに対してそれぞれ画像処理を行い、液晶パネル５６０Ｒ、５６０Ｇ、５６０Ｂをそれぞれ駆動するための駆動信号５７２Ｒ、５７２Ｇ、５７２Ｂを出力する。
【００８１】
直流電源装置５２０は、外部の交流電源６００から供給される交流電圧を一定の直流電圧に変換し、トランス（図示しないが、直流電源装置５２０に含まれる）の２次側にある画像信号変換部５１０、画像処理装置５７０及びトランスの１次側にある点灯駆動装置１０−１及び１０−２に直流電圧を供給する。
【００８２】
点灯駆動装置１０−１及び１０−２は、起動時にランプ９０−１及び９０−２の電極間に高電圧を発生して絶縁破壊させて放電路を形成し、以後ランプ９０−１及び９０−２が放電を維持するための駆動電流を供給する。本実施の形態においては、図２を用いて説明した点灯駆動装置１０−１と同じ構成の点灯駆動装置を使用している。
【００８３】
ランプ９０−１及び９０−２が発する光束は、ミラー群５５０に含まれる２つのダイクロイックミラーを通してそれぞれＲ、Ｇ、Ｂの色光に分離され、その他のミラーで反射されて、それぞれ液晶パネル５６０Ｒ、５６０Ｇ、５６０Ｂに透過される。
【００８４】
液晶パネル５６０Ｒ、５６０Ｇ、５６０Ｂは、それぞれ駆動信号５７２Ｒ、５７２Ｇ、５７２Ｂによる画像を形成し、当該画像によって各液晶パネルを透過する色光の光量を変調する光変調手段である。当該光変調手段により変調された各色光は、再びダイクロイックプリズムで合成されてスクリーン７００に投射される。
【００８５】
制御部２００は、プロジェクターの点灯開始から消灯に至るまでの動作を制御する。プロジェクター５００がユーザーからの点灯操作を受け付けると、通信信号５９１及び５９２を介して記憶部９２−１及び９２−２に記憶されている駆動電圧情報を読み出し、読み出した駆動電圧情報に基づいて点灯するランプを選択し、点灯駆動装置１０−１又は１０−２に通信信号５８１又は５８２を介して点灯命令を送信する。また、プロジェクター５００がユーザーからの消灯操作を受け付けると、点灯しているランプに対応する点灯駆動装置１０−１又は１０−２に通信信号５８１又は５８２を介して消灯命令を送信する。また、制御部２００は、通信信号５８１及び５８２を介して点灯駆動装置１０−１及び１０−２からランプ９０−１及び９０−２の駆動電圧情報を読み出し、通信信号５９１及び５９２を介して記憶部９２−１及び９２−２に駆動電圧情報を書き込む。
【００８６】
このように構成したプロジェクター５００は、ランプの駆動電圧に応じて点灯するランプを選択することができる。これにより、残り寿命の長いランプを優先的に点灯することが可能になるため、ランプの交換回数を減らすことができるプロジェクターを実現できる。また、前回点灯時と明るさの近いランプを選択することになるので、使用するランプの違いによる明るさの変動を抑制することができる。
【００８７】
また、記憶部９２−１及び９２−２はそれぞれランプユニット１００−１及び１００−２に設けられている。したがって、特にランプユニット１００−１及び１００−２をプロジェクター５００から着脱自在に構成した場合には、ユーザーがランプユニット１００−１又は１００−２を交換した場合においても、正しい駆動電圧情報に基づいて点灯するランプを選択することができる。
【００８８】
上記各実施形態においては、３つの液晶パネルを用いたプロジェクターを例示して説明したが、本発明はこれに限定されるものではなく、１つ、２つ又は４つ以上の液晶パネルを用いたプロジェクターにも適用可能である。
【００８９】
上記各実施形態においては、透過型の光変調手段を備えたプロジェクターを例示して説明したが、本発明はこれに限定されるものではなく、反射型の光変調手段を備えたプロジェクターにも適用することが可能である。ここで、「透過型」とは、透過型の液晶パネル等のように光変調手段としての電気光学変調装置が光を透過するタイプであることを意味しており、「反射型」とは、反射型の液晶パネルやマイクロミラー型光変調装置などのように光変調手段としての電気光学変調装置が光を反射するタイプであることを意味している。マイクロミラー型光変調装置としては、例えば、ＤＭＤ（デジタルマイクロミラーデバイス；Texas Instruments社の商標）を用いることができる。反射型の光変調手段を備えたプロジェクターにこの発明を適用した場合にも、透過型の光変調手段を備えたプロジェクターと同様の効果を得ることができる。
【００９０】
なお、本発明は本実施形態に限定されず、本発明の要旨の範囲内で種々の変形実施が可能である。
【００９１】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【００９２】
例えば、上述の説明では、２つのランプを含む照明装置及びプロジェクターの例にについて説明したが、３つ以上のランプを含んだ照明装置及びプロジェクターであってもよい。また、３つ以上のランプの中から２つ以上のランプを選択して点灯する照明装置及びプロジェクターでもよい。
【符号の説明】
【００９３】
１  照明装置、１０−１，１０−２  点灯駆動装置、２０  電力制御回路、２１  スイッチ素子、２２  ダイオード、２３  コイル、２４  コンデンサー、３０  交流変換回路、３１〜３４  スイッチ素子、４０  点灯駆動制御部、４０−１  電流制御手段、４０−２  交流変換制御手段、４１  システムコントローラー、４２  電力制御回路コントローラー、４３  交流変換回路コントローラー、４４  内蔵記憶部、６０  動作検出部、６１〜６３  抵抗、６５  電圧検出部、７０  イグナイター回路、８０  直流電源、９０−１，９０−２  ランプ、９２−１，９２−２  記憶部、１００−１，１００−２  ランプユニット、１０２  楕円リフレクター、１０４  平行化凹レンズ、１０６  ランプハウジング、１０８  軸、１１０，１１２  軸挿通孔、１１４  弾性部材、１１６  開口、１１８  首状部、１２０  反射部、２００  制御部、５００  プロジェクター、５０２  画像信号、５１０  画像信号変換部、５１２Ｒ  画像信号（Ｒ）、５１２Ｇ  画像信号（Ｇ）、５１２Ｂ  画像信号（Ｂ）、５２０  直流電源装置、５５０  ミラー群、５６０Ｒ  液晶パネル（Ｒ）、５６０Ｇ  液晶パネル（Ｇ）、５６０Ｂ  液晶パネル（Ｂ）、５７０  画像処理装置、５７２Ｒ  液晶パネル（Ｒ）駆動信号、５７２Ｇ  液晶パネル（Ｇ）駆動信号、５７２Ｂ  液晶パネル（Ｂ）駆動信号、５８１，５８２，５９１，５９２  通信信号、６００  交流電源、７００  スクリーン
【図１】
2010212116.tif 000003
【図２】
2010212116.tif 000004
【図３】
2010212116.tif 000005
【図４】
2010212116.tif 000006
【図５】
2010212116.tif 000007
【図６】
2010212116.tif 000008